(57)【要約】【課題】遠心分離後の再混濁がなく、純粋な沈殿物を容易に取り出すことのできる、液漏れ等の心配のない安価な遠心管を提供すること。【解決手段】遠心管本体１０と、該遠心管本体の上端開口部１４を閉塞するキャップ２０と、該キャップに貫通した状態で取り付けられた採取チューブ３０とからなり、上記採取チューブは、上端３０ａにバルブ３１を介してシリンジ接続部３２が設けられており、下端３０ｂは該採取チューブを取り付けたキャップを遠心管本体に装着した状態で遠心管本体の底部にまで達する長さとされていることを特徴とする遠心管とした。【選択図】 図３
2014222196.tif 000002
【特許請求の範囲】
【請求項１】
遠心管本体と、該遠心管本体の上端開口部を閉塞するキャップと、該キャップに貫通した状態で取り付けられた採取チューブとからなり、上記採取チューブは、上端にバルブを介してシリンジ接続部が設けられており、下端は該採取チューブを取り付けたキャップを遠心管本体に装着した状態で遠心管本体の底部にまで達する長さとされていることを特徴とする、遠心管。
【請求項２】
上記キャップに遠心管本体内が負圧となった場合に外部空気を流入させるチェックバルブが更に設けられていることを特徴とする、請求項１に記載の遠心管。
【発明の詳細な説明】
【技術分野】
【０００１】
本発明は、遠心管に関し、特に沈殿物の取り出しが容易に行える遠心管に関するものである。
【背景技術】
【０００２】
研究、検査等の目的で、分析対象を含むサンプル液体から比重が大きな分析対象物を遠心分離機で分離する作業がしばしば行われる。このような作業では、分析対象物を含むサンプル液体を収容した試験管状の容器（本明細書においては、係る容器を「遠心管」と称する。）を遠心分離機のホルダ部に装着し、遠心分離機を作動させ、サンプルを比重に応じて遠心分離する。次いで、遠心管を遠心分離機から外し、遠心管を傾けて上澄み液を廃棄する等した後、遠心管の底部に沈殿している比重が大きい分析対象物（沈殿物）をピペットなどで取り出し、分析対象物を研究、検査等の試料としていた。
【０００３】
しかしながら、上記した遠心管からの沈殿物の取り出し方法においては、その作業が煩雑なものであったと共に、上澄み液を除去する際、沈殿物との混和が起こり易く、再び混濁状態になったり、あるいは目的とする沈殿物を採取するピペットの先端が先に上澄み液の残液層を通過するために上澄み液の付着が避けられない等のことから、純粋な沈殿物を容易に得られるものではなかった。
【０００４】
特許文献１には、上記した課題を考慮し、サンプルを収容するサンプル収容部を備えた本体と、前記サンプル収容部の下端部と流体連通する細長い内部空間を有する透明材料で形成されたセルと、前記セルを前記本体の底部に取り外し可能に固定するセル保持部とを備えた遠心管が提供されている。
この遠心管によれば、遠心分離によって比重が重い成分がセルの細長い空間内に沈殿させられるので、高濃度の濃縮が可能となる。そして、セルを遠心管本体から外し、沈殿物の分析等を行う測定機器の測定部にそのままセットする、あるいはセルから沈殿物を測定機器の測定部に直接移すという極め簡単な操作だけで、分析等を開始することができるものであった。
【０００５】
しかしながら、上記した特許文献１に開示された遠心管にあっては、複数の部材を接続して構成するものであるため、その接続部からのサンプル液体の漏れが懸念せれるものであった。また、パッキン等を多用して十分な液密を図った構造のものとする場合には、どうしても製造コストが高騰すると言う課題があった。
【先行技術文献】
【特許文献】
【０００６】
【特許文献１】特開２００５−２３８１５８号公報
【発明の開示】
【発明が解決しようとする課題】
【０００７】
本発明は、上述した背景技術が有する課題に鑑みなされたものであって、その目的は、遠心分離後の再混濁がなく、純粋な沈殿物を容易に取り出すことのできる、液漏れ等の心配のない安価な遠心管を提供することにある。
【課題を解決するための手段】
【０００８】
上記した目的を達成するため、本発明は、次の〔１〕、〔２〕に記載の遠心管とした。
〔１〕遠心管本体と、該遠心管本体の上端開口部を閉塞するキャップと、該キャップに貫通した状態で取り付けられた採取チューブとからなり、上記採取チューブは、上端にバルブを介してシリンジ接続部が設けられており、下端は該採取チューブを取り付けたキャップを遠心管本体に装着した状態で遠心管本体の底部にまで達する長さとされていることを特徴とする、遠心管。
〔２〕上記キャップに遠心管本体内が負圧となった場合に外部空気を流入させるチェックバルブが更に設けられていることを特徴とする、上記〔１〕に記載の遠心管。
【発明の効果】
【０００９】
上記した本発明に係る遠心管によれば、あらかじめ遠心管本体の底部にまで達する採取チューブが設けられているため、上澄み液を除去する必要がなく、また上澄み液に触れることなく、純粋な沈殿物を該採取チューブを介して容易に吸引採取することができる。また、遠心管本体としては接続部のない一体型のものを用いることができるため、液漏れ等の心配のない安価な遠心管となる。
また、キャップに更にチェックバルブを設けたものとした場合には、キャップを緩めることなく、遠心管本体内が負圧となることを防止でき、沈殿物を逆流させることなく適量を容易に採取することができるものとなる。
【図面の簡単な説明】
【００１０】
【図１】本発明に係る遠心管の一実施形態を示した側面図である。
【図２】図１に示した遠心管の拡大縦断面図である。
【図３】図１に示した遠心管から沈殿物を採取する方法を示した図である。
【図４】本発明に係る遠心管の他の実施形態を示した縦断面図である。
【図５】図４に示した遠心管の特有の作用を示した図である。
【発明を実施するための最良の形態】
【００１１】
以下、上記した本発明に係る遠心管の実施形態を、図面を参照しながら説明する。
【００１２】
図１及び図２は、本発明に係る遠心管の一実施形態を示した断面図及び拡大縦断面図である。図示したように、本発明に係る遠心管１は、遠心管本体１０と、該遠心管本体１０の上端開口部を閉塞するキャップ２０と、該キャップ２０に貫通した状態で取り付けられた採取チューブ３０とからなる。
【００１３】
上記遠心管本体１０は、材質、大きさ等は、特に限定されるものではなく、通常の遠心分離機に用いられるものであればよいが、半球状、半楕円体状、コーン状などの形状を有する底部１１と、それに続く円筒状の胴部１２と、該円筒状胴部１２の上部外周面に形成された雄ネジ１３と、上端開口部１４とが一体形成されたものがよい。遠心管本体１０の材質は、ガラス、プラスチック、金属等が用いられる。
【００１４】
また、キャップ２０は、遠心管本体１０の開口部１４を覆う頂板部２１と、その周端縁から降下した筒状側壁２２と、該筒状側壁２２の内周面に形成された上記遠心管本体１０の雄ネジ１３と螺合する雌ネジ２３と、筒状側壁２２の外周面に形成された滑り止め用ローレット２４とが一体形成されたものがよく、材質としては、プラスチック、金属等が挙げられる。
【００１５】
上記キャップ２０に貫通した状態で取り付けられた採取チューブ３０は、上端３０ａにバルブ３１を介してシリンジ接続部３２が設けられており、下端３０ｂは該採取チューブ３０を取り付けたキャップ２０を遠心管本体１０に装着した状態で、遠心管本体の底部１１にまで達する長さとされている。
【００１６】
図示した実施形態の採取チューブ３０においては、シリンジを接続できるルアーテーパー３２が設けられた２方ストップコック３１を採取チューブ３０の上端３０ａに取り付けることにより、上記構成が実現されている。採取チューブ３０の先端は、図示したように斜めに切断加工されていてもよいが、丸みを帯びた形状に加工されていてもよい。採取チューブ３０の材質は、通常プラスチックで成形されるが、金属パイプ、あるいはガラスパイプであってもよい。また、図示した実施形態においては、シリンジ接続部３２に保護キャップ３３を装着しているが、該保護キャップ３３は必須のものではない。
【００１７】
次に、上記した構成の本発明に係る遠心管１の使用方法を説明する。
先ず、遠心管本体１０内に所定量のサンプル液体Ｌを入れ、上端開口部１４を、遠心管本体１０の上部外周面に形成された雄ネジ１３にキャップ２０の内周面に形成された雌ネジ２３を螺合することによって、液密にキャップ２０により閉塞する。
次いで、サンプル液体Ｌを入れた遠心管１を、図示しない遠心分離機のホルダ部に取り付け、遠心分離機を所定時間、所定回転数で作動させてサンプル液体Ｌの遠心分離を行う。この遠心分離操作により、サンプル液体Ｌに含まれる比重の大きな成分（検査対象物）が、沈殿物Ｇとして遠心管本体１０の底部１１に溜まり、上方に上澄み液Ｕが残る。
【００１８】
遠心分離完了後、遠心管１を遠心分離機のホルダ部から取り外し、遠心管立てに保持させる。
次いで、図３に示したように、採取チューブ３０の上端に設けられたシリンジ接続部３２にシリンジ４０を接続し、バルブ３１を開き、採取チューブ３０を介して遠心管本体１０の底部１１に溜まった沈殿物（検査対象物）Ｇを、シリンジ４０によって吸引採取する。この際、必要に応じてキャップ２０を弛め、遠心管本体１０内が負圧になることを防止する。
【００１９】
シリンジ４０によって適量の沈殿物（検査対象物）Ｇを採取した後、シリンジ４０を遠心管１から外し、測定機器の測定部に沈殿物（検査対象物）Ｇをシリンジ４０から移し、沈殿物（検査対象物）Ｇの分析（または検査、測定）を行う。
【００２０】
上記したように本発明に係る遠心管１は、あらかじめ遠心管本体１０の底部１１にまで達する採取チューブ３０が設けられているため、該採取チューブ３０を介して沈殿物（検査対象物）Ｇを容易に吸引採取することができる。そして、本発明に係る遠心管１においては、遠心分離後にキャップを開けたり、ピペットを差し込むというような後工程を経ることなく、遠心管本体１０の底部１１に溜まった沈殿物（検査対象物）Ｇを直接的にしかも短時間に採取できることから、比較的比重の近いものであっても再混和を招くことなく、また外部からの異物混入によるコンタミネーションのない純粋な状態で沈殿物（検査対象物）Ｇを採取することができる。
【００２１】
次に、図４を参照して、本発明に係る遠心管の他の実施形態を説明する。
【００２２】
この図４に示した遠心管１においては、キャップ２０に、遠心管本体１０内が負圧となった場合に外部空気を流入させるチェックバルブ５０が更に設けられている点のみが上記実施形態と相違し、他は同様のものであるため、同一の符号を付してその同様の構成部分についての説明は省略する。
【００２３】
図４に示した実施形態においては、キャップ２０の頂板部２１に貫通穴５１が設けられ、該貫通穴５１を塞ぐ状態で板状の弾性部材５２を取り付けた構成で、チェックバルブ５０が実現されている。チェックバルブとしては、スプリングやボールなどを用いた比較的複雑で精巧なものもあるが、実施形態のように簡素なチェックバルブの構成とすることにより、コストダウンを図ることができる。
【００２４】
この図４に示した実施形態の遠心管１においても、前述の実施形態のものと同様に使用され、純粋な沈殿物を容易に取り出すことのできるものとなると共に、その沈殿物の取り出しに際して、キャップ２０を緩めることなく、図５に示したようにチェックバルブ５０が開いて外部空気が流入することにより遠心管本体１０内が負圧となることを防止できるため、シリンジ４０により吸引した沈殿物を逆流させることなく、適量を容易に採取することができるものとなる。
【００２５】
以上、本発明に係る遠心管の実施形態を説明したが、本発明に係る遠心管は、既述の実施形態に限定されるものではなく、特許請求の範囲の記載によって特定される本発明の技術的思想の範囲内において、種々の変形及び変更が可能であることは当然である。
【産業上の利用可能性】
【００２６】
本発明に係る遠心管によれば、遠心分離後の再混濁がなく、純粋な沈殿物を容易に取り出すことができるので、研究、検査等の目的で、分析対象を含むサンプル液体から比重が大きな分析対象物を遠心分離機で分離する作業に用いる遠心管として、広く用いることができる。
【符号の説明】
【００２７】
１    遠心管
１０    遠心管本体
１１    底部
１２    円筒状胴部
１３    雄ネジ
１４    開口部
２０    キャップ
２１    頂板部
２２    筒状側壁
２３    雌ネジ
２４    ローレット
３０    採取チューブ
３０ａ    上端
３０ｂ    下端
３１    バルブ（２方ストップコック）
３２    シリンジ接続部（ルアーテーパー）
３３    保護キャップ
４０    シリンジ
５０    チェックバルブ
５１    貫通穴
５２    板状弾性部材
Ｌ    サンプル液体
Ｇ    沈殿物（検査対象物）
Ｕ    上澄み液
【図１】
2014222196.tif 000003
【図２】
2014222196.tif 000004
【図３】
2014222196.tif 000005
【図４】
2014222196.tif 000006
【図５】
2014222196.tif 000007